【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
配線トポロジのコンピュータ化された視覚化を形成する方法であって、該方法は、
コンピュータ処理装置で実行される工程を使用して、ハーネス最終アイテム（ＨＥＩ）から３次元のワイヤハーネスデータを論理ワイヤコンテンツに結合すること、及び
配線トポロジが含まれるプラットフォームの３次元のモデル内部で、工程から出力された、グラフィック配線トポロジを表示することを含む、方法。
【請求項２】
３次元のワイヤハーネスデータ及び論理ワイヤコンテンツの少なくとも一つをユーザインターフェースから選択することをさらに含む、請求項１に記載の方法。
【請求項３】
３次元のワイヤハーネスデータは、ユーザインターフェースから選択されたワイヤ経路について現在のものであると検証することをさらに含む、請求項２に記載の方法。
【請求項４】
３次元のワイヤハーネスデータを論理ワイヤコンテンツに結合することは、選択されたワイヤが主要な経路指定ファイルに存在するかを判定することを含む、請求項１に記載の方法。
【請求項５】
３次元のワイヤハーネスデータを論理ワイヤコンテンツに結合することは、
選択されたワイヤのワイヤハーネス設置リストに対して３次元のモデルを読み込むこと、
論理的、物理的、かつ３次元のポイントデータを使用して、選択されたワイヤのバンドル工程を実行すること、
ワイヤハーネス設置セグメントのリストを作成すること、
選択されたワイヤのワイヤ経路を画定するためにワイヤハーネス設置セグメントを通して選択されたワイヤをトレースすること、及び
キャッシュへの画定されたワイヤ経路を記憶することを含む、請求項１に記載の方法。
【請求項６】
ワイヤハーネス設置セグメントを通して選択されたワイヤをトレースすることは、
選択されたワイヤについて、ワイヤがループバックワイヤかどうかを判定すること、
ループバックワイヤについて、
装置挿入を取得すること、及び
ワイヤの経路を生成すること、並びに
非ループバックワイヤについて、
装置挿入を取得すること、及び
近接ツリー及びワイヤ経路生成のために近接ツリーを通してトレース経路を可能にする近接グラフを形成するためにアルゴリズムを実行することを含む、請求項５に記載の方法。
【請求項７】
二つのデータゾーンの間の行番号及び接続を選択すること、
接続への適用可能なハーネス最終アイテムを決定すること、
適用可能なハーネス最終アイテムへの適用可能なワイヤハーネス設置を決定すること、及び
選択された接続への適用可能なワイヤハーネス設置モデルを読み込むことをさらに含む、請求項１に記載の方法。
【請求項８】
ワイヤハーネス設置をハーネスによりフィルター処理すること、
ワイヤハーネス設置を接続装置によりフィルター処理すること、及び
接続に各ワイヤセグメントをトレースすることをさらに含む、請求項７に記載の方法。
【請求項９】
３次元のワイヤハーネスデータを、コンピュータ処理装置で実行される工程で論理ワイヤコンテンツと結合させることは、
ナビゲーションウィンドウを介して、一又は複数の配線モデルを選択すること、並びに
選択されたモデルに基づき、物理データウィンドウ内部で３次元の物理データを読み込むこと及び論理データウィンドウ内部で論理データを読み込むことを含む、請求項１に記載の方法。
【請求項１０】
プログラムが記録された１また複数のコンピュータ可読記憶媒体であって、該プログラムは少なくとも一つのプロセッサに、
プラットフォーム内のモジュール間での接続を選択させ、
該選択された接続への適用可能な論理ワイヤコンテンツを決定させ、
論理ワイヤコンテンツへの３次元のワイヤハーネスデータを読み込ませ、
３次元のワイヤハーネスデータをハーネス及び接続装置によりフィルター処理させ、かつ
該選択された接続の際に各ワイヤセグメントをトレースさせ、並びに
結果をユーザインターフェースに提供する、
ことを実行させる、一又は複数のコンピュータ可読記憶媒体。
【請求項１１】
プログラムが記録された１また複数のコンピュータ可読記憶媒体であって、該プログラムは少なくとも一つのプロセッサに、請求項１から９のいずれか一項に記載の方法を実行させる、一又は複数のコンピュータ可読記憶媒体。
【請求項１２】
配線トポロジの経路指定及び視覚化のためのシステムであって、該システムは、
処理装置、
前記処理装置に通信可能に接続されたメモリ、及び
前記処理装置に通信可能に接続されたユーザインターフェースを備え、前記処理装置は、
前記ユーザインターフェースを介して、配線トポロジ内部でワイヤのユーザ選択を受信し、
前記メモリから、論理ワイヤコンテンツ、３次元のモデル及び前記選択されたワイヤのワイヤハーネス設置リストを読み込み、
前記論理ワイヤコンテンツ、３次元のモデル及びワイヤハーネス設置リストから論理的、物理的、かつ３次元のポイントデータを使用して選択されたワイヤに関連するデータをバンドルし、
ワイヤハーネス設置セグメントのリストを作成し、
選択されたワイヤのワイヤ経路を画定するためにワイヤハーネス設置セグメントを通して選択されたワイヤをトレースし、かつ
プラットフォームを通して選択されたワイヤの３次元の経路指定を予測する前記ユーザインターフェースを介して出力を提供するようにプログラムされた、システム。
【請求項１３】
前記システムは、選択されたワイヤが主要な経路指定ファイルに存在するかを判定するようにさらにプログラムされた、請求項１２に記載のシステム。
【手続補正２】
【補正対象書類名】明細書
【補正対象項目名】００５８
【補正方法】変更
【補正の内容】
【００５８】
本明細書では、ベストモードを含む様々な実施形態を開示するために実施例を使用し、任意のデバイスやシステムの製作及び使用並びに任意の結合された方法の実行を含め、当業者がこれらの実施形態を実施できるようにしている。特許性の範囲は、特許請求の範囲によって画定され、当業者が想到する他の例も含み得る。このような他の例は、それらが特許請求の範囲の文言と相違しない構成要素を有する場合には、あるいは、それらが特許請求の範囲の文言とわずかに異なる均等な構成要素を有する場合には、特許請求の範囲の範囲内にあることを意図する。
また、本願は以下に記載する態様を含む。
（態様１）
配線トポロジのコンピュータ化された視覚化を形成する方法であって、該方法は、
コンピュータ処理装置で実行される工程を使用して、３次元のワイヤハーネスデータを論理ワイヤコンテンツに結合すること、及び
配線トポロジが含まれるプラットフォームの３次元のモデル内部で、工程から出力された、グラフィック配線トポロジを表示することを含む、方法。
（態様２）
３次元のワイヤハーネスデータ及び論理ワイヤコンテンツの少なくとも一つをユーザインターフェースから選択することをさらに含む、態様１に記載の方法。
（態様３）
３次元のワイヤハーネスデータは、ユーザインターフェースから選択されたワイヤ経路について現在のものであると検証することをさらに含む、態様２に記載の方法。
（態様４）
３次元のワイヤハーネスデータを論理ワイヤコンテンツに結合することは、選択されたワイヤが主要な経路指定ファイルに存在するかを判定することを含む、態様１に記載の方法。
（態様５）
３次元のワイヤハーネスデータを論理ワイヤコンテンツに結合することは、
選択されたワイヤのワイヤハーネス設置リストに対して３次元のモデルを読み込むこと、
論理的、物理的、かつ３次元のポイントデータを使用して、選択されたワイヤのバンドル工程を実行すること、
ワイヤハーネス設置セグメントのリストを作成すること、
選択されたワイヤのワイヤ経路を画定するためにワイヤハーネス設置セグメントを通して選択されたワイヤをトレースすること、及び
キャッシュへの画定されたワイヤ経路を記憶することを含む、態様１に記載の方法。
（態様６）
ワイヤハーネス設置セグメントを通して選択されたワイヤをトレースすることは、
選択されたワイヤについて、ワイヤがループバックワイヤかどうかを判定すること、
ループバックワイヤについて、
装置挿入を取得すること、及び
ワイヤの経路を生成すること、並びに
非ループバックワイヤについて、
装置挿入を取得すること、及び
近接ツリー及びワイヤ経路生成のために近接ツリーを通してトレース経路を可能にする近接グラフを形成するためにアルゴリズムを実行することを含む、態様５に記載の方法。
（態様７）
二つのデータゾーンの間の行番号及び接続を選択すること、
接続への適用可能なハーネス最終アイテムを決定すること、
適用可能なハーネス最終アイテムへの適用可能なワイヤハーネス設置を決定すること、及び
選択された接続への適用可能なワイヤハーネス設置モデルを読み込むことをさらに含む、態様１に記載の方法。
（態様８）
ワイヤハーネス設置をハーネスによりフィルター処理すること、
ワイヤハーネス設置を接続装置によりフィルター処理すること、及び
接続に各ワイヤセグメントをトレースすることをさらに含む、態様７に記載の方法。
（態様９）
３次元のワイヤハーネスデータを、コンピュータ処理装置で実行される工程で論理ワイヤコンテンツと結合させることは、
ナビゲーションウィンドウを介して、一又は複数の配線モデルを選択すること、並びに
選択されたモデルに基づき、物理データウィンドウ内部で３次元の物理データを読み込むこと及び論理データウィンドウ内部で論理データを読み込むことを含む、態様１に記載の方法。
（態様１０）
コンピュータ可読記憶媒体上で実施されるコンピュータで実行可能な命令を有する一又は複数のコンピュータ可読記憶媒体であって、少なくとも一つのプロセッサにより実行されるときに、コンピュータで実行可能な命令は、少なくとも一つのプロセッサに、
プラットフォーム内のモジュール間での接続を選択させ、
選択された接続への適用可能な論理ワイヤコンテンツを決定させ、
論理ワイヤコンテンツへの適用可能な３次元のワイヤハーネスデータを読み込ませ、
３次元のワイヤハーネスデータをハーネス及び接続装置によりフィルター処理させ、かつ
接続の際に各ワイヤセグメントをトレースさせ、並びに
結果をユーザインターフェースに提供する、一又は複数のコンピュータ可読記憶媒体。
（態様１１）
プラットフォーム内のモジュール間の接続を選択するために、コンピュータで実行可能な命令は、少なくとも一つのプロセッサに、３次元のワイヤハーネスデータ及び論理ワイヤコンテンツの少なくとも一つのユーザ選択をユーザインターフェースを介して受信させる、態様１０に記載のコンピュータ可読記憶媒体上で実施されるコンピュータで実行可能な命令を有する一又は複数のコンピュータ可読記憶媒体。
（態様１２）
選択された接続への適用可能な論理ワイヤコンテンツを決定するために、コンピュータで実行可能な命令は、少なくとも一つのプロセッサに、３次元のワイヤハーネスデータがユーザインターフェースから選択されたワイヤ経路について現在のものであると検証させる、態様１０に記載のコンピュータ可読記憶媒体上で実施されるコンピュータで実行可能な命令を有する一又は複数のコンピュータ可読記憶媒体。
（態様１３）
選択された接続への適用可能な論理ワイヤコンテンツを決定するために、コンピュータで実行可能な命令は、少なくとも一つのプロセッサに、選択されたワイヤが主要な経路指定ファイルに存在するかを判定させる、態様１０に記載のコンピュータ可読記憶媒体上で実施されるコンピュータで実行可能な命令を有する一又は複数のコンピュータ可読記憶媒体。
（態様１４）
論理ワイヤコンテンツへの適用可能な３次元のワイヤハーネスデータを読み込むために、コンピュータで実行可能な命令は、少なくとも一つのプロセッサに、
選択されたワイヤのワイヤハーネス設置リストに対して３次元のモデルを読み込ませ、かつ
論理的、物理的、及び３次元のポイントデータを使用して、選択されたワイヤのバンドル工程を実行させる、態様１０に記載のコンピュータ可読記憶媒体上で実施されるコンピュータで実行可能な命令を有する一又は複数のコンピュータ可読記憶媒体。
（態様１５）
３次元のワイヤハーネスデータをハーネス及び接続装置によりフィルター処理するために、コンピュータで実行可能な命令は、少なくとも一つのプロセッサに、ワイヤハーネス設置セグメントのリストを作成させる、態様１４に記載のコンピュータ可読記憶媒体上で実施されるコンピュータで実行可能な命令を有する一又は複数のコンピュータ可読記憶媒体。
（態様１６）
接続の際に各ワイヤセグメントをトレースするために、コンピュータで実行可能な命令は、少なくとも一つのプロセッサに、選択されたワイヤのワイヤ経路を画定するためにワイヤハーネス設置セグメントを通して選択されたワイヤをトレースさせる、態様１５に記載のコンピュータ可読記憶媒体上で実施されるコンピュータで実行可能な命令を有する一又は複数のコンピュータ可読記憶媒体。
（態様１７）
３次元のワイヤハーネスデータをハーネス及び接続装置によりフィルター処理するために、コンピュータで実行可能な命令は、少なくとも一つのプロセッサに、
選択されたワイヤについて、ワイヤがループバックワイヤかどうかを判定させ、
装置挿入を取得させ、ループバックワイヤのワイヤの経路を生成させ、かつ
装置挿入を取得させ、近接ツリー及び非ループバックワイヤのワイヤ経路生成のために近接ツリーを通してトレース経路を可能にする近接グラフを形成するためにアルゴリズムを実行させる、態様１０に記載のコンピュータ可読記憶媒体上で実施されるコンピュータで実行可能な命令を有する一又は複数のコンピュータ可読記憶媒体。
（態様１８）
プラットフォーム内のモジュール間で接続を選択するために、コンピュータで実行可能な命令は、少なくとも一つのプロセッサに、二つのデータゾーン間の行番号及び接続のユーザ選択を受信させ、
選択された接続への適用可能な論理ワイヤコンテンツを決定するために、コンピュータで実行可能な命令は、少なくとも一つのプロセッサに、接続への適用可能なハーネス最終アイテムを決定させ、かつ適用可能なハーネス最終アイテムへの適用可能なワイヤハーネス設置を決定させ、かつ
論理ワイヤコンテンツへの適用可能な３次元のワイヤハーネスデータを読み込むために、コンピュータで実行可能な命令は、少なくとも一つのプロセッサに、選択された接続への適用可能なワイヤハーネス設置モデルを読み込ませる、態様１０に記載のコンピュータ可読記憶媒体上で実施されるコンピュータで実行可能な命令を有する一又は複数のコンピュータ可読記憶媒体。
（態様１９）
配線トポロジの経路指定及び視覚化のためのシステムであって、該システムは、
処理装置、
前記処理装置に通信可能に接続されたメモリ、及び
前記処理装置に通信可能に接続されたユーザインターフェースを備え、前記システムは、
前記ユーザインターフェースを介して、配線トポロジ内部でワイヤのユーザ選択を受信し、
前記メモリから、３次元のモデル及び選択されたワイヤのワイヤハーネス設置リストを読み込み、
３次元のモデル及びワイヤハーネス設置リストの両方から論理的、物理的、かつ３次元のポイントデータを使用して選択されたワイヤに関連するデータをバンドルし、
ワイヤハーネス設置セグメントのリストを作成し、
選択されたワイヤのワイヤ経路を画定するためにワイヤハーネス設置セグメントを通して選択されたワイヤをトレースし、かつ
プラットフォームを通して選択されたワイヤの３次元の経路指定を予測する前記ユーザインターフェースを介して出力を提供するようにプログラムされた、システム。
（態様２０）
前記システムは、選択されたワイヤが主要な経路指定ファイルに存在するかを判定するようにさらにプログラムされた、態様１９に記載のシステム。